(57)【要約】[要約][課題]スリット堰堤を補強せずに、既設の透過型砂防堰堤を減災効果の高い透過型砂防堰堤に転換できること。[解決手段]砂防堰堤本体１０と剛性構造のスリット堰堤２０とネット状のスクリーン３０とを具備した透過型砂防堰堤であって、スクリーン３０はスリット堰堤２０から間隔を隔てて配置すると共に、スクリーン３０の左右両端部を砂防堰堤本体１０に固定して取り付けた。
2017149560.tif 000002
【特許請求の範囲】
【請求項１】
壁部に上下方向の開口部を有する砂防堰堤本体と、該砂防堰堤本体の開口部に立設し、格子枠を具備した剛性構造のスリット堰堤と、複数の開口を有するネット状のスクリーンとを具備した透過型砂防堰堤であって、
前記スクリーンは前記スリット堰堤から離隔した位置で、前記開口部の横断方向に沿って縦向きに配置し、
前記スクリーンの左右両端部を砂防堰堤本体に固定して取り付け、
土石流の発生時に前記スクリーンの自由変形を許容することを特徴とする、
透過型砂防堰堤。
【請求項２】
前記スクリーンは前記開口部を横断可能な複数の横ロープと、該複数の横ロープを交差して配置した複数の間隔保持材とを具備し、前記複数の横ロープと複数の間隔保持材との間に複数の開口を形成したことを特徴とする、請求項１に記載の透過型砂防堰堤。
【請求項３】
前記スクリーンの開口が上方から下方へ向けて段階的に大きいことを特徴とする、請求項１または２に記載の透過型砂防堰堤。
【請求項４】
前記スクリーンは前記開口部を横断可能な複数の横ループと、該複数の横ループを交差して配置した複数の間隔保持材とを具備し、前記複数の横ループと複数の間隔保持材との間に複数の開口を形成したことを特徴とする、請求項１に記載の透過型砂防堰堤。
【請求項５】
前記横ループの左右両端部が、砂防堰堤本体に固定した弾性アブソーバを介して砂防堰堤本体に取り付けてあることを特徴とする、請求項４に記載の透過型砂防堰堤。
【請求項６】
スクリーンを構成する一部の横ループまたは一部の間隔保持材を省略したことを特徴とする、請求項４に記載の透過型砂防堰堤。
【請求項７】
前記スクリーンをスリット堰堤の上流側、中間、または下流側の少なくとも一箇所に設けたことを特徴とする、請求項１に記載の透過型砂防堰堤。
【請求項８】
前記スクリーンの縦幅は格子枠の最下段の升目の高さ分を除いた格子枠の高さと等しいことを特徴とする、請求項１に記載の透過型砂防堰堤。
【請求項９】
前記スリット堰堤の格子枠を越える高さまでスクリーンを延設したことを特徴とする、請求項１に記載の透過型砂防堰堤。
【発明の詳細な説明】
【技術分野】
【０００１】
本発明は開口部（水通し部）に透過式のスリット堰堤を設けた透過型、半透過型の砂防堰堤、または砂防ダム（以下「透過型砂防堰堤」という）に関する。
【背景技術】
【０００２】
土石流対策工のひとつとして、砂防堰堤本体に縦方向に開設した開口部の底版に鋼製のスリット堰堤を立設した透過型砂防堰堤が広く知られている（特許文献１)。
スリット堰堤は複数の鋼管を縦横方向に組み合せた立体格子構造体に代表されるように、スリット堰堤を通過する際に土石流の運動エネルギーを低減しつつ、スリット堰堤の上流側に形成した複数の格子目で土石や流木等の流下物を捕捉する構造となっている。
スリット堰堤の格子升目の寸法に関しては、過去の災害事例を踏まえて国交省が土石流対策指針を公表している。最新の土石流対策指針によれば格子升目の寸法は最大礫径の１．５倍程度とすることと規定されている（非特許文献１)。【０００３】
一方、中小礫の捕捉性能を高めるために、スリット堰堤の上流の格子面にリングネットを付設した透過型砂防堰堤が知られている（特許文献２)。
リングネットはスリット堰堤の格子目より小径のリング体を連鎖的に組み合わせた高強度のネットで、スリット堰堤の格子面全面に亘って取り付けてある。
スリット堰堤またはリングネットの高さは砂防堰堤の開口部の高さより低く設定してあり、スリット堰堤またはリングネットの高さまで土砂、石礫等の流下物が堆積可能である。【０００４】
また、スリット堰堤を用いずに、砂防堰堤本体のスリット状の開口部を跨いで鋼製のスクリーンを取り付けた半透過型砂防堰堤（特許文献３)が知られている。
スクリーンは、開口部の上流側の両壁面に縦方向に向けて２本の間隔保持材を設置し、２本の間隔保持材の間に間隔を隔てて複数の横材を横架した剛性の梯子体である。
【先行技術文献】
【特許文献】
【０００５】
【特許文献１】特開平７−８２７２５号公報（図１）
【特許文献２】特開２００４−３００８７４号公報（図１，２）
【特許文献３】特開平１１−５０４３５号公報（図１）
【非特許文献】
【０００６】
【非特許文献１】国土交通省砂防部、国土交通省国土技術政策総合研究所  編著「砂防基本計画策定指針（土石流・流木対策編）及び同解説」「土石流・流木対策設計技術指針及び同解説」社団法人全国治水砂防協会  平成１９年（２００７年）１１月
【発明の概要】
【発明が解決しようとする課題】
【０００７】
従来の透過型砂防堰堤にはつぎのような問題点がある。
＜１＞特許文献１の問題点
＜１．１＞中小礫の捕捉性能を高めるには、スリット堰堤の格子升目の寸法を小さくする必要がある。格子升目を小さくするとスリット堰堤の開口率が低下することに伴って堰上げ（堰堤の上流側で水が堰き止められ滞留するため水位が高くなること）を生じて流下物の捕捉機能が低下する。
＜１．２＞巨岩等がスリット堰堤に直撃してスリット堰堤が損傷を受け易い。
＜２＞特許文献２の問題点
＜２．１＞特許文献２に記載の透過型砂防堰堤は、リングネットに作用したすべての衝撃力がスリット堰堤に伝達する構造であるため、スリット堰堤の負荷が著しく増大する。
＜２．２＞スリット堰堤が変形または倒壊すると、リングネットが共倒れとなって砂防機能を完全に喪失する。
＜２．３＞リングネットは、スリット堰堤の格子面に接面した状態で一体に取り付けてあるため、リングネットを構成するリング単体の自由変形がほとんどできない構造になってい。
そのため、リングネットによるエネルギー吸収性能が低く、スリット堰堤に作用する衝撃力の軽減効果はほとんど期待できない。
＜２．４＞リングネットがスリット堰堤と一体化しているため、スリット堰堤が局部的に変形したり損傷したときにはリングネットの補修がし難い。
＜３＞特許文献１．２の共通の問題点
透過型砂防堰堤の堆砂量は、スリット堰堤の高さまでが限界であり、スリット堰堤の高さを越えて流下物を捕捉することができない。
したがって、流下物の堆積量がスリット堰堤の限界高さに達すると、スリット堰堤の上方空間を通じて後続流が越流したり、石礫が砂防堰を堤飛び越えたりする。
＜４＞特許文献３の問題点
＜４．１＞特許文献３に記載の半透過型砂防堰堤は、土石流による巨大な衝撃力が高剛性のスクリーンの取付部に作用する構造である。
そのため、スクリーンを高強度に製作し、かつ砂防堰堤に対して堅牢に取り付けなければならない。
＜４．２＞特許文献３に記載の半透過型砂防堰堤は、スクリーンの曲げ強度に限界があることから、砂防堰堤本体の開口部の幅が広い場合には適用できない。
＜５＞従来の透過型砂防堰堤の問題点
国内における既存の透過型砂防堰堤の大半は近年の異常気象に起因した大規模土石流を想定した構造とはなっていない。
大規模土石流に対応するため、既設の透過型砂防堰堤のスリット堰堤を補強する方法が考えられるが、補強コストが非常に高くつくため、現実的ではない。【０００８】
本発明は以上の点に鑑みて成されたもので、その目的とするところはつぎの何れかひとつの透過型砂防堰堤を提供するにある。
＜１＞減災効果の高い透過型砂防堰堤を提供すること。
＜２＞スリット堰堤を補強せずにスリット堰堤の耐久性を向上できる透過型砂防堰堤を提供すること。
＜３＞スリット堰堤の高さを越えて流下物の越流を防止できること。
＜４＞既設の透過型砂防堰堤を減災効果の高い透過型砂防堰堤に転換できること。
【課題を解決するための手段】
【０００９】
本発明は、壁部に上下方向の開口部を有する砂防堰堤本体と、該砂防堰堤本体の開口部に立設し、格子枠を具備した剛性構造のスリット堰堤と、複数の開口を有するネット状のスクリーンとを具備した透過型砂防堰堤であって、前記スクリーンは前記スリット堰堤から離隔した位置で、前記開口部の横断方向に沿って縦向きに配置し、前記スクリーンの左右両端部を砂防堰堤本体に固定して取り付け、土石流の発生時に前記スクリーンの自由変形を許容することを特徴とする。
本発明の他の形態において、前記スクリーンは前記開口部を横断可能な複数の横ロープと、該複数の横ロープを交差して配置した複数の間隔保持材とを具備し、前記複数の横ロープと複数の間隔保持材との間に複数の開口を形成している。
本発明の他の形態において、前記スクリーンの開口が上方から下方へ向けて段階的に大きくしてもよい。
本発明の他の形態において、前記スクリーンは前記開口部を横断可能な複数の横ループと、該複数の横ループを交差して配置した複数の間隔保持材とを具備し、前記複数の横ループと複数の間隔保持材との間に複数の開口を形成している。
本発明の他の形態において、スクリーンを構成する一部の横ループまたは一部の間隔保持材を省略してもよい。
本発明の他の形態において、前記横ループの左右両端部が、砂防堰堤本体に固定した弾性アブソーバを介して砂防堰堤本体に取り付けてある。
本発明の他の形態において、前記スクリーンはスリット堰堤の上流側、中間、または下流側の少なくとも一箇所に設けてある。
本発明の他の形態において、前記スクリーンの縦幅は格子枠の最下段の升目の高さ分を除いた格子枠の高さと等しい。
本発明の他の形態において、前記スリット堰堤の格子枠を越える高さまでスクリーンを延設してもよい。
【発明の効果】
【００１０】
本発明は上記した構成を有することから、つぎの何れかひとつの効果が得られる。
＜１＞スクリーンをスリット堰堤から間隔を隔てて設けることでスクリーンの自由変形が可能となる。
エネルギー吸収性能の高いスクリーンと、スリット堰堤との協働により強大なエネルギーを有する土石流を効率的に制御、抑制できるので、減災効果の高い透過型砂防堰堤を提供することができる。
＜２＞スクリーンの左右両端部を砂防堰堤本体に固定して取り付けて、スクリーンに作用する全ての荷重がスリット堰堤へ直接作用しない構造とした。
さらに、スクリーン自体によるエネルギー吸収性能が高くなるので、スリット堰堤を補強せずにスリット堰堤の耐久性が向上する。
＜３＞スクリーンを複数の横ループと複数の間隔保持材で構成した場合、スクリーンのエネルギー吸収性能がさらに高くなる。
横ループの左右両端部を、砂防堰堤本体に固定した弾性アブソーバに取り付けると、スクリーンのエネルギー吸収性能が格段に高くなる。
＜４＞スリット堰堤の格子枠を越える高さまでスクリーンを延設すると、スリット堰堤の高さを越えて大量の土石流を堆積できると共に、スリット堰堤を飛び越えようとする石礫等を効果的に捕捉できる。
＜５＞スクリーンを構成する一部の資材を省略しても、スクリーンと格子枠が協働してスクリーンの開口を形成できるので、スクリーンの低コスト化と軽量化を両立できる。
＜６＞既設の砂防堰堤に対してスクリーンを追加設置するだけで、既設の透過型砂防堰堤を、減災効果の高い透過型砂防堰堤に転換できる。
【図面の簡単な説明】
【００１１】
【図１】本発明の実施例１に係る透過型砂防堰堤の説明図で、一部を省略した透過型砂防堰堤の斜視図
【図２】透過型砂防堰堤の縦断面図
【図３】図２におけるIII−IIIの断面図
【図４】スクリーンを構成する横ループの取付部の説明図で、（ａ）は横ループの取付部の斜視図、（ｂ）は横ループの取付部の水平断面図
【図５】横ループと間隔保持材の連結例の説明図で、（ａ）は固定具を用いた帯板状の間隔保持材と横ループの連結構造の説明図、（ｂ）は固定具を用いたチェーン製の間隔保持材と横ループの連結構造の説明図
【図６】格子枠を越える高さまでスクリーンを配置した実施例２に係る透過型砂防堰堤の説明図
【図７】スクリーンの開口サイズを変えた実施例２に係る透過型砂防堰堤の説明図で、上流側から見た透過型砂防堰堤の正面図
【図８】スクリーンを簡略化した実施例３に係る透過型砂防堰堤の説明図で、上流側から見た透過型砂防堰堤の正面図
【発明を実施するための形態】
【００１２】
［実施例１］
＜１＞透過型砂防堰堤の概要
図１〜５を参照しながら説明する。本発明に係る透過型砂防堰堤は、壁部１３に上下方向の開口部１１を有する砂防堰堤本体１０と、砂防堰堤本体１０の開口部１１の底版１２に立設したスリット堰堤２０と、スリット堰堤２０から離隔して砂防堰堤本体１０に固定し、開口部１１を横断して設けた可撓性を有するスクリーン３０とを具備する。
【００１３】
＜２＞砂防堰堤本体
図１〜３において、砂防堰堤本体１０はコンクリート等からなる既設または新設の重量構造物であり、土石流や流木等が発生する渓流、河川等の流れを横切って設けられている。
砂防堰堤本体１０の壁部１３の一部を縦方向に向けて開設したスリット状の開口部１１を有する。開口部１１は水通し部または越流部とも呼ばれる。
開口部１１の基礎コンクリートである底版１２は河床Ｇに形成してあり、通常時は開口部１１を通じて水，砂，小礫等の流下や水生生物の往来が可能である。
【００１４】
＜３＞スリット堰堤
図１〜３において、スリット堰堤２０は複数の鋼材を縦横方向に組み合せた立体格子構造体であり、流水の横断方向に向けて底版１２に立設されている。
本例ではスリット堰堤２０が複数の縦柱２１ａと複数の横梁２１ｂを組み合せた単数または複数の格子枠２１と、格子枠２１の下流側に斜めに設けた複数の補強斜材２２と、複数の水平補強材２３とを具備する。
スリット堰堤２０が複数の格子枠２１を具備する場合、各格子枠２１は互いに間隔を隔てて並列に配置する。
スリット堰堤２０は運搬可能な短いサイズに分割した複数の鋼管からなり、ボルト、ナットでを用いて立体格子状に組み立てられている。
格子枠２１に形成した複数の升目２４の正面形状は図示した正方形に限定されず、縦長または横長の長方形であってもよい。
升目２４の縦方向または横方向の純間隔は巨礫の最大径の１．５〜２．０に設定されていればよい。
なお、格子枠２１の最下段の升目２４ａは上段の升目２４に対して縦長に形成してある。
【００１５】
なお、升目２４，２４ａにつては格子形状に限定せず、さらにスリット堰堤２０を立体トラス構造とすることも可能である。スリット堰堤２０を構成する鋼材は丸鋼管、角鋼管等の閉断面部材が望ましいが、Ｈ型鋼等の型鋼でもよい。またプレキャスト部材の使用も可能である。
【００１６】
＜４＞スクリーン
図１〜３において、スクリーン３０は開口部１１を横断する横ロープである複数の横ループ３２と、複数の横ループ３２を交差して配置した複数の間隔保持材３３とを具備し、複数の横ループ３２と複数の間隔保持材３３との間に複数の開口３１を形成した高強度素材からなるネットである。
スクリーン３０の素材は、金属製、繊維製、または樹脂製のシングルロープ、シングルチェーン、帯状鋼板の何れか一種、または複数種の組み合わせが可能であり、ネットの交差部は滑動不能に固定されている。
【００１７】
＜４．１＞スクリーンの開口
スクリーン３０は複数の開口３１を有する可撓性ネットである。
本例では開口３１が格子枠２１の升目２４より小さい寸法関係にある場合について示すが、開口３１の寸法は升目２４の寸法以上であってもよい。
開口３１は中小礫のサイズを考慮して適宜選択するが、開口３１の一辺の長さは例えば３００ｍｍ前後が好適である。
【００１８】
＜４．２＞スクリーンの取付構造
従来はスクリーンをスリット堰堤の格子枠に一体に取り付けていた。
本発明では図２，３に示すように格子枠２１に対して間隔Ｓを隔ててスクリーン３０を配置すると共に、スクリーン３０の左右両端部を砂防堰堤本体１０に固定して取り付けてある。
格子枠２１から離隔した位置にスクリーン３０を設置したのは、土石流の発生時にスクリーン３０が格子枠２１に当接せずにスクリーン３０を自由変形させるためである。
この間隔Ｓは下流側へ向けたスクリーン３０の自由変形量が最大になったときに、格子枠２１に対してスクリーン３０が当接可能な距離であり、スクリーン３０の撓み量を考慮して適宜選択する。
スクリーン３０を砂防堰堤本体１０に固定したのは、スクリーン３０に作用する土石流等の衝撃力を格子枠２１へ伝えずに、砂防堰堤本体１０に分散して伝えるためである。
【００１９】
＜４．３＞スクリーンの設置範囲
スクリーン３０の横幅は少なくとも開口部１１を横断可能な長さを有し、その縦幅は格子枠２４の最下段の升目２４の高さ分を除いた格子枠２４の高さと略等しい。
なお、必要に応じて、スクリーン３０の全面に透過性を有する金網等のネットを付設すると、中小礫に対するスクリーン３０の捕捉効果が高くなる。
【００２０】
＜４．４＞本例のスクリーン
スクリーン３０は複数の横ロープと複数の間隔保持材を交差させて形成した平面的なネットでもよいが、ネットに厚みを持たせたスクリーン３０を適用することも可能である。
図１〜３を参照して説明すると、本例のスクリーン３０は、開口部１１の横断方向に沿って多段的に配置した複数の横ループ３２と、複数の横ループ３２に交差させて縦向きに配置し、固定具３４を介してその交点を固定した複数の間隔保持材３３とを具備する。
横ループ３２を構成する上流側ロープ３２ａと下流側ロープ３２ｂは同一の水平面に位置する。
本例ではスクリーン３０を開口部１１に面した相対向する側面１４，１４間に横架する形態について説明するが、スクリーン３０の両端部を壁部１３の上流面に取り付けてもよい。
【００２１】
＜４．４．１＞横ループ
横ループ３２はワイヤロープの両端を接続して無端構造に形成してある。
図４に示すように、砂防堰堤本体１０の開口部１１に面した側面１４には凹溝１５が設けてあり、凹溝１５内にはアンカーボルト４１を介してブラケット４２が取り付けてある。
ブラケット４２の軸４３には弾性アブソーバ４０が縦向きに設けてある。
弾性アブソーバ４０は弾性変形が可能な樹脂やゴム素材からなり、横ループ３２に張力が作用したときに弾性アブソーバ４０の弾性変形によりアンカーボルト４１の荷重負担を軽減する。
各横ループ３２はその両端部を弾性アブソーバ４０，４０に巻き掛けた状態で張設してある。
凹溝１５は弾性アブソーバ４０を土石流から保護できる深さを有する溝であり、側面１４に対して連続的または間欠的に形成してある。
横ループ３２の両端部を弾性アブソーバ４０，４０に巻き掛けたのは、横ループ３２の一部に作用した張力を横ループ３２の全長に亘って伝達して分散するためである。
【００２２】
＜４．４．２＞横ループの他の配置例
横ループ３２は水平方向だけでなく、斜め方向に向けて配置してもよく、また横ループ３２の配置方向は水平と斜めの組み合せでもよい。
また一筆書きのように、多段的に設置した複数の弾性アブソーバ４０に跨って上下のループに連続性を持たせて配置してもよい。
【００２３】
＜４．４．３＞間隔保持材
複数の横ループ３２の上下方向の変位を拘束する間隔保持材３３は横ループ３２と共に複数の開口３１を形成する。
間隔保持材３３はチェーン、ワイヤロープ、または帯状の鋼板等を含む。
固定具３４は各横ループ３２と間隔保持材３３の間を摺動不能に固定する摩擦抵抗式の固定具であり、ワイヤクリップ、Ｕボルト等の公知の固定具を適用できる。
図５の（ａ）は間隔保持材３３が帯状の鋼板である場合を示し、間隔保持材３３と横ループ３２の間をＵボルト製の固定具３４で固定している。
図５の（ｂ）は間隔保持材３３がチェーンである場合を示し、間隔保持材３３と横ループ３２の間をグリップ製の固定具３４で固定している。
本例では間隔保持材３３を横ループ３２の上流側ロープ３２ａに固定した形態を示すが、下流側ロープ３２ｂ、または両ロープ３２ａ，３２ｂに取り付けてもよい。
【００２４】
［透過型砂防堰堤の砂防機能］
つぎに上記した透過型砂防堰堤の砂防機能について説明する。
【００２５】
＜１＞中小規模の洪水時
図２を参照して説明すると、中小規模の洪水の場合は、流れの高さが比較的低いのでスリット堰堤２０の最下段の升目２４ａを通じて、災害を及ぼさない程度の大きさの礫や泥水が下流に流れる。
【００２６】
＜２＞土石流の発生時
土石流の発生時、スクリーン３０とスリット堰堤２０は以降に説明するように協働して段階的に土石流の衝撃力を減勢する。
【００２７】
＜２．１＞スクリーンの機能
ネット状のスクリーン３０の開口３１が中小礫を捕捉可能な寸法になっている。
そのため、土石流の発生時は、土石流の先頭部の巨礫群や流木や礫混じりの泥水からなる後続流が高強度のスクリーン３０の上流側に堆積する。
スクリーン３０に作用する荷重は砂防堰堤本体１０の壁部１３で支持される。
スクリーン３０と格子枠２１の間に間隔Ｓが形成されているため、スクリーン３０は下流側に向けた自由な撓み変形が可能となる。
スクリーン３０はその自由な撓み変形によって、衝撃力の吸収作用を最大限に発揮することで、強大なエネルギーを有する土石流を効率的に制御、抑制することができる。
【００２８】
図４に示した本例のスクリーン３０では、横ループ３２の一部に作用した荷重をループの全長へ伝達することと、横ループ３２を支える弾性アブソーバ４０が弾性変形をすることで、横ループ３２に作用する衝撃力を吸収することができる。
特に、弾性アブソーバ４０が弾性変形をすることで、横ループ３２の撓み長が増すため、横ループ３２は衝撃力の吸収作用を最大限に発揮できる。
本例の複数の横ループ３２を具備した立体的なスクリーン３０は、平面的なネットと比べてエネルギー吸収性能が極めて高い。
そのため、横ループ３２を支えるアンカーボルト４１の荷重負担を大幅に軽減できる。
【００２９】
＜２．２＞スリット堰堤の機能
土石流の先頭部の巨礫群はスクリーン３０で捕捉されるので、スリット堰堤２０には直撃しない。
下流側へ向けたスクリーン３０の撓み変形量が増すと、スクリーン３０はスリット堰堤２０の格子枠２１に当接する。
スクリーン３０がスリット堰堤２０の格子枠２１に当接すると、スクリーン３０およびスリット堰堤２０は協働して土石流による荷重を支持する。
既述したように、スクリーン３０は砂防堰堤本体１０の壁部１３に固定されているので、スクリーン３０がスリット堰堤２０の格子枠２１に当接してもスリット堤体２０の負担荷重は大幅に軽減される。
そのため、本発明の透過型砂防堰堤は、ネット状のスクリーンを予めスリット堰堤の格子枠に一体に取り付けた従来の透過型砂防堰堤と比較して、スリット堰堤２０に作用する衝撃力の軽減効果が極めて大きい。
したがって、本発明の透過型砂防堰堤では、スリット堰堤２０が変形または倒壊の防止効果が高くなる。
【００３０】
＜３＞リングネットとスリット堰堤の補修
リングネット３０とスリット堰堤２０は別体構造となっている。
そのため、スクリーン２０の一部が損傷したり破損したりした場合には、スクリーン３０を構成する横ループ３２や間隔保持材３３を部分的に取り外して簡単に交換できる。
またスリット堰堤２０が損傷した場合は、スクリーン３０を取り外すことなく、スリット堰堤２０の損傷箇所を個別的に補修することができる。
すると、スリット堰堤に一体化したリングネットがスリット堰堤と共倒れとなって砂防機能を喪失する。
【００３１】
［実施例２］
図６を参照して他の実施例に係る透過型砂防堰堤について説明する。
先の実施例では、スクリーン３０の上辺の設置高さを格子枠２４の高さと略同じにした形態について説明したが、格子枠２４を越える高さまでスクリーン３０を延設してもよい。
本実施例にあって、スクリーン３０の捕捉作用によって、格子枠２４の高さを越えて土石流を堆積することができると共に、スリット堰堤２０を飛び越えようとする石礫等を効果的に捕捉できる。
【００３２】
［実施例３］
図７を参照して他の実施例に係る透過型砂防堰堤について説明する。
先の実施例では、スクリーン３０を構成する複数の横ループ３２を均等間隔に配置した形態について説明したが、上方から下方へ向けて横ループ３２の間隔Ｐ１〜Ｐ４が徐々に大きくなるように形成してもよい。
すなわち、スクリーン３０の下段の開口３１が上段の開口３１より大きい寸法関係にあればよい。換言すればスクリーン３０の上段の開口３１が下段の開口３１より小さい寸法関係にある。
本例では、最もサイズが大きい最下段の開口３１がスリット堰堤２０の升目２４より小さい寸法関係にある場合を示す。最下段の開口３１は升目２４以上の寸法関係にしてもよい。
スクリーン３０の開口３１が均等であると、下方に土石や礫が即時的に溜まって短時間のうちに捕捉機能を失う恐れがある。
これに対して、土石流の堆積高さに比例してスクリーン３０の下段の開口３１が上段の開口３１に対して大きく形成してあれば、スクリーン３０の下方に土石や礫が即時的に溜まらない。
そのため、大量の土石や礫が流下してくる場合でも、スクリーン３０による捕捉機能を長時間に亘って維持することができる。
【００３３】
［実施例４］
図８を参照してスクリーン３０を簡略化した実施例４に係る透過型砂防堰堤について説明する。
本例はスクリーン３０を正面から見たときに、スリット堰堤２０の格子枠２１に対して重合するスクリーン３０の重合部を省略した形態を示す。
図８は、中間の間隔保持材３３ａが格子枠２１を構成する中間の縦柱２１ａと重合する位置関係にあり、中間の横ループ３２ａが中間の横梁２１ｂと重合する位置関係にある場合を例示する。
スクリーン３０の一部の間隔保持材３３ａまたは一部の中間の横ループ３２ａを省略しても、土石流の発生時に下流側に自由変形したスクリーン３０全体が格子枠２１に当接することで、格子枠２１が省略した間隔保持材３３ａまたは横ループ３２ａに代わって開口３１を形成することができる。
換言すれば、スクリーン３０の一部の間隔保持材３３ａまたは一部の中間の横ループ３２ａを省略することでスクリーン３０の実際の開口は大きくなるが、格子枠２１の中間の縦柱２１ａや中間の横ループ３２ａは大きな開口を小さいサイズに区画することができる。
本実施例にあては、格子枠２１と重合するスクリーン３０の一部の資材を省略しても捕捉機能を維持できるので、スクリーン３０のコスト削減と軽量化を実現できる。
【００３４】
［実施例５］
以上の実施例１〜４はスリット堰堤２０の上流側にスクリーン３０を配置した形態について説明したが、スクリーン３０の配置位置はこの形態に限定されるものではない。
スクリーン３０はスリット堰堤２０の中間部、またはスリット堰堤２０の下流側に配置してもよく、また２箇所以上の箇所に複数のスクリーン３０を並設してもよい。
スクリーン３０をスリット堰堤２０から離隔して配置することと、スクリーン３０の両端部を砂防堰堤本体１０に固定することは先の実施例１と同様である。
スリット堰堤２０の中間部、または下流側にスクリーン３０を配置した場合には、スリット堰堤２０が捕捉予定の大径の石礫の荷重がスクリーン３０に直接作用しないので、スクリーン３０の取付部の荷重負担がさらに軽減できるとともに、スクリーン３０の設計強度を下げることができる。
【符号の説明】
【００３５】
１０・・・・・砂防堰堤本体
１１・・・・・砂防堰堤本体の開口部
１２・・・・・開口部の底版
１３・・・・・砂防堰堤本体の壁部
１４・・・・・開口部の側面
２０・・・・・スリット堰堤
２１・・・・・格子枠
２４・・・・・格子枠の升目
３０・・・・・スクリーン
３１・・・・・スクリーンの開口
３２・・・・・横ループ
３３・・・・・間隔保持材
４０・・・・・弾性アブソーバ
Ｓ・・・・・・間隔
Ｇ・・・・・・河床
【図１】
2017149560.tif 000003
【図２】
2017149560.tif 000004
【図３】
2017149560.tif 000005
【図４】
2017149560.tif 000006
【図５】
2017149560.tif 000007
【図６】
2017149560.tif 000008
【図７】
2017149560.tif 000009
【図８】
2017149560.tif 000010
【手続補正書】
【提出日】平成30年6月28日(2018.6.28)
【手続補正１】
【補正対象書類名】図面
【補正対象項目名】全図
【補正方法】変更
【補正の内容】
【図１】
2017149560.tif 000011
【図２】
2017149560.tif 000012
【図３】
2017149560.tif 000013
【図４】
2017149560.tif 000014
【図５】
2017149560.tif 000015
【図６】
2017149560.tif 000016
【図７】
2017149560.tif 000017
【図８】
2017149560.tif 000018
【国際調査報告】
2017149560.tif 000019
2017149560.tif 000020
2017149560.tif 000021
2017149560.tif 000022